(57)【要約】【課題】  前眼部撮影機能を有する無散瞳眼底カメラにおいて、エネルギーを浪費することなく、前眼部撮影を簡単に行う。【解決手段】  被検眼前眼部を照明する照明光学系と、該照明光学系により照明された前眼部領域を撮像する撮像手段と、撮影モードを設定する撮影モード設定手段と、被検眼に固視目標を提示する固視目標提示手段と、前記撮影モード設定手段の設定状態に基づき、前記固視目標提示手段による提示の有効、無効を設定する固視目標提示制御手段により構成される。【選択図】        図１
2005095382.tif 000002
【特許請求の範囲】
【請求項１】
被検眼前眼部を照明する照明光学系と、該照明光学系により照明された前眼部領域を撮像する撮像手段と、撮影モードを設定する撮影モード設定手段と、被検眼に固視目標を提示する固視目標提示手段と、前記撮影モード設定手段の設定状態に基づき、前記固視目標提示手段による提示の有効、無効を設定する固視目標提示制御手段を有することを特徴とする眼科撮影装置。
【請求項２】
前記撮影モードは撮影光の発光、不発光の何れかであることを特徴とする請求項１記載の眼科撮影装置。
【請求項３】
前記固視目標提示制御手段による制御は、前記撮影モードが発光撮影モード時には有効として制御し、前記撮影モードが不発光撮影モード時には無効として制御することを特徴とした請求項２記載の眼科撮影装置。
【発明の詳細な説明】
【技術分野】
【０００１】
本発明は、例えば被検眼の眼底を撮影する眼科撮影装置に関するものである。
【背景技術】
【０００２】
眼科医院等で行われている眼底撮影には、散瞳剤使用を前提とした散瞳撮影と、散瞳剤を使わないで撮影する無散瞳撮影があり、最近では撮影後の負担が少ない無散瞳撮影も多く行われるようになってきた。
【０００３】
眼科医院ではまた、フルオレスセイン等の造影剤を静脈注射し、螢光フィルターを介して撮影する螢光造影撮影も、糖尿病等の精密診断にはかかせないものとして広く行われている。螢光造影撮影においては、血流の状態を確認することが目的であるため、短時間に多くの撮影を行う必要があり、被検眼は通常散瞳剤を点眼することにより瞳孔を強制的に散瞳させ実施される。従って、通常、眼底上の撮影部位を特定するため、被検眼の視線を誘導する固視目標は、カラー撮影時において用いられる被検眼が対物レンズをのぞくことにより確認可能な内部固視目標ではなく、被検眼ではない方の目を用いて視線を誘導する外部固視目標が使用されている。
【０００４】
従って、眼底カメラにおいては、カラー撮影時には内部固視目標を使用し、螢光造影撮影の場合には、外部固視目標を使用するように構成されている。
【特許文献１】特開２０００−２３２９６１号公報
【発明の開示】
【発明が解決しようとする課題】
【０００５】
最近では眼底カメラにおいて、眼底撮影とともに、被検眼の角膜、虹彩、瞳孔など、いわゆる前眼部の撮影を行う機能が搭載されている。前眼部撮影時は瞳孔の散瞳状態は特別問題でないため、ストロボ等の瞬時発光による撮影ではなく、通常室内照明や電気スタンド等の外光を用いて撮影が行われている。
【０００６】
前眼部撮影においては、通常の眼底撮影時と撮影部位が異なることから、焦点位置も異なるため、対物レンズから眼底撮影時より離れた位置での撮影となる。従って、眼底撮影時においては被検眼が対物レンズ越しに確認可能な内部固視目標も、前眼部撮影においては焦点がボケてしまい確認することができない。
【０００７】
しかしながら、従来の眼底カメラにおいては、螢光造影撮影以外においては内部固視灯が点滅又は点灯等の使用環境下にあり、被検者にはボケた内部固視灯を提示することになり、撮影の妨げとなっていた。また、使用しない状態でも内部固視灯は点滅、または点灯状態にあったため、エネルギーに浪費になっていた。
【０００８】
本発明の目的は、上述の問題点を解消し、前眼部撮影等の眼底撮影以外においても、撮影の妨げがなく、また省エネルギーの眼科撮影装置を提供することにある。
【課題を解決するための手段】
【０００９】
本発明によれば、被検眼前眼部を照明する照明光学系と、該照明光学系により照明された前眼部領域を撮像する撮像手段と、撮影モードを設定する撮影モード設定手段と、被検眼に固視目標を提示する固視目標提示手段と、前記撮影モード設定手段の設定状態に基づき、前記固視目標提示手段による提示の有効、無効を設定する固視目標提示制御手段を有する。
【００１０】
すなわち、本発明の技術内容は以下の構成を備えることにより前記課題を解決できた。
【００１１】
（１）被検眼前眼部を照明する照明光学系と、該照明光学系により照明された前眼部領域を撮像する撮像手段と、撮影モードを設定する撮影モード設定手段と、被検眼に固視目標を提示する固視目標提示手段と、前記撮影モード設定手段の設定状態に基づき、前記固視目標提示手段による提示の有効、無効を設定する固視目標提示制御手段を有することを特徴とする眼科撮影装置。
【００１２】
（２）前記撮影モードは撮影光の発光、不発光の何れかであることを特徴とする前記（１）記載の眼科撮影装置。
【００１３】
（３）前記固視目標提示制御手段による制御は、前記撮影モードが発光撮影モード時には有効として制御し、前記撮影モードが不発光撮影モード時には無効として制御することを特徴とした前記（２）記載の眼科撮影装置。
【発明の効果】
【００１４】
以上説明したように、本出願に係る発明によれば、撮影モードに応じて、内部固視灯をＯＮ／ＯＦＦするように構成したので、前眼部撮影時においても、内部固視灯により被検者が戸惑うことなくを行うことができる。
【００１５】
また、不必要な環境下で内部固視灯を表示することがないため、無駄なエネルギーの浪費を防ぐことができる効果がある。
【発明を実施するための最良の形態】
【００１６】
以下本発明を実施するための最良の形態を、実施例により詳しく説明する。
【実施例１】
【００１７】
本発明を図１，図２に図示の装置構成図及びフローチャートを用いて詳細に説明する。
【００１８】
図１は本発明を実施した場合の装置構成図を示し、１はランプ等の観察／アライメント用光源、２は赤外光を透過する可視カットフィルター、３はコンデンサーレンズ、４はストロボ光源等の静止画撮影用光源、５はリレーレンズ、６は穴あきミラー、Ｅは被検眼、７は対物レンズ、８は前眼部観察時に光路内に挿入される前眼部観察用レンズ、９は合焦機能を有するレンズ系、１０は図面における右端を軸に左側が上に跳ね上がる跳ね上げミラー、１１は撮影用センサーユニット、１２は撮影画像記録部、１３は撮影画像用モニタ、１４はレンズ、１５はハーフミラー、１６は観察用センサーユニット、１７は観察画像用モニタ、１８はレンズ、１９は内部固視目標提示部、２０は内部固視目標制御部、２１は撮影モード設定記憶部である。
【００１９】
まず、これから撮影を行うモードの設定を行う。ここでいう撮影モードには、撮影時ストロボ発光により被検眼眼底部を撮影する眼底撮影モードと、撮影時ストロボは発光せず、外光により被検眼前眼部を撮影する前眼部観察モードの２種類がある。所望の撮影モードを撮影モード設定記憶部にて設定し、設定値を記憶する（ステップ１）。
【００２０】
ステップ１で設定された撮影モードに従い以下の処理が分岐される（ステップ２）。
【００２１】
まず、眼底撮影モードが選択された場合の手順について説明する。
【００２２】
眼底撮影モードが選択された場合、まず撮影に先立ち、まず被検眼と対物レンズ７との概略位置合わせを行う（ステップ３）。
【００２３】
前眼部を照明するための図示しない赤外光源から発せられた赤外光により、被検眼Ｅの前眼部が照明され、前眼部からの反射光は、対物レンズ７、前眼部観察用レンズ８、穴あきミラー６の穴部、レンズ系９を経て、跳ね上げミラー１０により反射され、レンズ１４、ハーフミラー１５を経由して観察用センサーユニット１６へ導かれる。観察用センサーユニット１６で光電変換された前眼部観察画像は観察画像用モニタ１７上に映出される。この前眼部像を見ながら、図１に示した光学系を搭載した図示しないステージ部等を移動することにより、位置合わせを行う。
【００２４】
位置合わせが終了後、撮影者は図示しない前眼部／眼底部切換えスイッチを押下する。これにより、光路中に挿入されていた前眼部観察用レンズ８を光路から離脱する。
【００２５】
前眼部観察用レンズ８が光路から離脱されると、撮影者は被検眼の眼底部位を観察画像用モニタで観察しながら、撮影部位の特定、撮影光量調整、ピント調整等を行う（ステップ４）。
【００２６】
観察／アライメント用光源１から発せられた照明光は、可視カットフィルター２により、赤外域のみの波長を持つ光に変換された後、コンデンサーレンズ３、リレーレンズ５を経由して穴あきミラー６のミラー部で反射され、対物レンズ７を通って、被検眼Ｅの眼底部を照明する。眼底部からの反射光は再び対物レンズ７を通り、穴あきミラーの穴部、レンズ系９を経て、跳ね上げミラー１０により反射され、レンズ１４、ハーフミラー１５を経由して観察用センサーユニット１６へ導かれる。観察用センサーユニット１６で光電変換された眼底部観察画像は観察画像用モニタ１７上に映出される。
【００２７】
また、同時に、撮影モード設定記憶部２１より、内部固視目標制御部２０に対し、撮影モード情報（この場合には眼底撮影モード）が送られ、これにより内部固視目標制御部２０は内部固視灯を提示するよう内部固視目標提示部１９に指示され、以下のように動作する。
【００２８】
可視ＬＥＤ、又は液晶モニタユニット等で構成される内部固視目標提示部１９から発せられた内部固視目標は、レンズ１８を経て、ハーフミラー１５で反射された後、レンズ１４を経由して跳ね上げミラー１０にて反射され、レンズ系９、穴あきミラー６の穴部、対物レンズ７を通って、被検眼Ｅの眼底に投影される。
【００２９】
被検者の視線はこの固視目標により誘導し、所望の眼底部位を撮影対象として観察画像用モニタ１７上に表示させる。
【００３０】
被検眼眼底の撮影準備ができたら、撮影者は図示しない撮影スイッチを押下する（ステップ５）。
【００３１】
撮影スイッチの押下により、静止画撮影用光源４が点灯し、静止画撮影用光源４からの照明光はリレーレンズ５を経由して穴あきミラー６のミラー部で反射され、対物レンズ７を通って、被検眼Ｅの眼底部を照明する。眼底部からの反射光は再び対物レンズ７を通り、穴あきミラーの穴部、レンズ系９を経て、跳ね上げミラー１０が跳ね上げられることにより、撮影用センサーユニット１１に導かれる（ステップ６）。
【００３２】
撮影用センサーユニット１１で結像された被検眼眼底像は、光電変換され、撮影画像記録部１２にてＡ／Ｄ変換され、図示しないメモリへ記録されるのと同時に撮影画像用モニタ１３上に表示される（ステップ７）。
【００３３】
一方、ステップ２にて前眼部撮影モードであった場合には、まず、上記眼底撮影モード時と同様に撮影部位の特定を行う（ステップ８）。
【００３４】
前眼部撮影モードの場合には、照明光源は外光であるので、外部からの光による被検眼Ｅの前眼部像は、対物レンズ７、穴あきミラーの穴部、レンズ系９を経て、跳ね上げミラー１０により反射され、レンズ１４、ハーフミラー１５を経由して観察用センサーユニット１６へ導かれる。観察用センサーユニット１６で光電変換された前眼部観察画像は観察画像用モニタ１７上に映出される。
【００３５】
撮影モード設定記憶部２１より、内部固視目標制御部２０に対し、撮影モード情報（この場合には前眼部撮影モード）が送られ、これにより内部固視目標制御部２０は内部固視灯を提示しないよう内部固視目標提示部１９に指示する。
【００３６】
被検眼前眼部の撮影準備ができたら、撮影者は図示しない撮影スイッチを押下する（ステップ９）。
【００３７】
撮影スイッチの押下により、前眼部からの反射光は対物レンズ７を通り、穴あきミラーの穴部、レンズ系９を経て、跳ね上げミラー１０が跳ね上げられることにより、撮影用センサーユニット１１に導かれる。
【００３８】
撮影用センサーユニット１１で結像された被検眼前眼部像は、光電変換され、撮影画像記録部１２にてＡ／Ｄ変換され、図示しないメモリへ記録されるのと同時に撮影画像用モニタ１３上に表示される（ステップ１０）。
【実施例２】
【００３９】
上記実施例１では、前眼部撮影時には内部固視灯をＯＦＦする例を挙げたが、他の実施例として、図１の光学系の外部に配設されたＬＥＤ、ランプ等で構成される図示しない外部固視灯を用いて、眼底撮影モードでは内部固視灯をＯＮ、外部固視灯をＯＦＦ、前眼部撮影モードにおいては内部固視灯をＯＦＦ、外部固視灯をＯＮと制御するようにしても良い。
【００４０】
なお上記実施例１、２では、被検眼の観察時、撮影時において各々別々のセンサーユニット、モニタを用いて撮影を行う場合を例に挙げて説明したが、これに限らず、適宜共用するように構成しても良い。
【図面の簡単な説明】
【００４１】
【図１】本発明の装置構成図
【図２】本発明の実施例の動作フローチャート
【符号の説明】
【００４２】
１  観察／アライメント用光源
２  可視カットフィルター
３  コンデンサーレンズ
４  静止画撮影用光源
５  リレーレンズ
６  穴あきミラー
７  対物レンズ
８  前眼部観察用レンズ
９  レンズ系
１０  跳ね上げミラー
１１  撮影用センサーユニット
１２  撮影画像記録部
１３  撮影画像用モニタ
１４  レンズ
１５  ハーフミラー
１６  観察用センサーユニット
１７  観察画像用モニタ
１８  レンズ
１９  内部固視目標提示部
２０  内部固視目標制御部
２１  撮影モード設定記憶部
【図１】
2005095382.tif 000003
【図２】
2005095382.tif 000004